(57)【要約】【課題】  軸組み構造の建物の柱間に組込まれる壁パネルにより建物の垂直荷重を負担することができ。【解決手段】  柱１間に配設される壁パネル２である。壁パネル２に建物の垂直荷重を負担するための間柱３を上下に貫通して設ける。間柱３の上端面部の壁パネル２よりも上方に突出した部分に軸組み構造の建物の梁４に固定するための上固定用プレート５を設けると共に間柱３の下端面部の壁パネル２よりも下方に突出した部分に軸組み構造の建物の基礎７又は梁４に固定するための下固定用プレート６を設ける。【選択図】        図１
2005105672.tif 000002
【特許請求の範囲】
【請求項１】
軸組み構造の建物の柱間に配設される壁パネルであって、該壁パネルに建物の垂直荷重を負担するための間柱を上下に貫通して設け、該間柱の上端面部の壁パネルよりも上方に突出した部分に軸組み構造の建物の梁に固定するための上固定用プレートを設けると共に間柱の下端面部の壁パネルよりも下方に突出した部分に軸組み構造の建物の基礎又は梁に固定するための下固定用プレートを設けて成ることを特徴とする間柱付き壁パネル。
【請求項２】
壁パネルの下端面部に基礎又は梁の上面に取付ける下支持金具の縦片に嵌め込まれて断面逆Ｖ字状をした壁パネルを回動して起立させるための回動支点となる嵌め込み溝を形成し、壁パネルの上端面に梁に連結するための連結金具を設けて成ることを特徴とする請求項１記載の間柱付き壁パネル。
【発明の詳細な説明】
【技術分野】
【０００１】
本発明は、間柱付き壁パネルに関するものである。
【背景技術】
【０００２】
軸組み構造の建物の柱間に組込まれる壁パネルとしては建物の荷重を負担しない非耐力壁パネルが一般的に用いられるが、軸組み構造の建物の柱間に組込まれる壁パネルに水平力を負担する必要がある場合には水平力を負担することができる耐力壁パネルが用いられる。この水平力を負担することができる壁パネルとしては例えば特許文献１や特許文献２などを挙げることができる。
【０００３】
しかしながら、上記いずれの壁パネルも軸組み構造の建物における垂直荷重を支持するものではなく、このため、従来にあっては、柱間において間柱を立設して垂直荷重を負担するようにしている。
【０００４】
ところが、間柱を立設した部分も壁となるため、壁パネルを組込む方式の建物においては、間柱部分の外面側に壁面を形成する工事が必要となって、施工が煩雑となるという問題がある。
【特許文献１】特開平１０−２８０５２７号公報
【特許文献２】特開平１０−２７３９４１号公報
【発明の開示】
【発明が解決しようとする課題】
【０００５】
本発明は上記の従来の問題点に鑑みて発明したものであって、軸組み構造の建物の柱間に組込まれる壁パネルにおいて、軸組み構造の建物の垂直荷重を負担することができ、施工に当たっては、壁パネルを施工するのみで壁と間柱とを同時に施工できる間柱付き壁パネルを提供することを課題とするものである。
【課題を解決するための手段】
【０００６】
上記課題を解決するために本発明に係る間柱付き壁パネルは、軸組み構造の建物の柱１間に配設される壁パネル２であって、該壁パネル２に建物の垂直荷重を負担するための間柱３を上下に貫通して設け、該間柱３の上端面部の壁パネル２よりも上方に突出した部分に軸組み構造の建物の梁４に固定するための上固定用プレート５を設けると共に間柱３の下端面部の壁パネル２よりも下方に突出した部分に軸組み構造の建物の基礎７又は梁４に固定するための下固定用プレート６を設けて成ることを特徴とするものである。
【０００７】
このような構成とすることで、軸組み構造の建物の柱１間に壁パネル２を組込んで、壁パネル２に上下に貫通して設けてある間柱３の下固定用プレート６を軸組み構造の建物の基礎７又は梁４に固定すると共に、上固定用プレート５を梁４に固定することで、軸組み構造の建物の柱１間において梁４からかかる垂直荷重を間柱３で支持することができるものである。これにより、本発明の間柱３付き壁パネル２を軸組み構造の建物の柱１間に組込むことで、壁の施工と垂直荷重を負担する間柱３の施工が同時にできるものである。
【０００８】
また、壁パネル２の下端面部に基礎７又は梁４の上面に取付ける下支持金具８の縦片９に嵌め込まれて断面逆Ｖ字状をした壁パネル２を回動して起立させるための回動支点となる嵌め込み溝１０を形成し、壁パネル２の上端面に梁４に連結するための連結金具１１を設けることが好ましい。
【０００９】
このような構成とすることで、間柱３付き壁パネル２を組込むに当たって、壁パネル２を斜めにした状態で、基礎７又は梁４の上面に取付けた下支持金具８の縦片９に壁パネル２の下端面部に設けた断面逆Ｖ字状をした嵌め込み溝１０を嵌め込んで、該嵌め込み溝１０の縦片９への嵌め込み部分を回動支点として間柱３付き壁パネル２を垂直に起立させ、連結金具１１により梁４に連結することで、壁パネル２を正しい位置に正確に起立させることができ、この正しい位置に正確に起立させた状態で、壁パネル２に上下に貫通して設けてある間柱３の下固定用プレート６を軸組み構造の建物の基礎７又は梁４に固定すると共に、上固定用プレート５を梁４に固定して本固定することができるものである。
【発明の効果】
【００１０】
本発明は上記のように、壁パネルに建物の垂直荷重を負担するための間柱を上下に貫通して設け、該間柱の上端面部の壁パネルよりも上方に突出した部分に軸組み構造の建物の梁に固定するための上固定用プレートを設けると共に間柱の下端面部の壁パネルよりも下方に突出した部分に軸組み構造の建物の基礎又は梁に固定するための下固定用プレートを設けてあるので、軸組み構造の建物の柱間に壁パネルを組込んで、壁パネルに上下に貫通して設けてある間柱の下固定用プレートを軸組み構造の建物の基礎又は梁に固定すると共に、上固定用プレートを梁に固定することで、軸組み構造の建物の柱間において梁からかかる垂直荷重を間柱で支持することができるものであり、施工に当たっても間柱付き壁パネルを軸組み構造の建物の柱一間に組込むことで、壁の施工と垂直荷重を負担する間柱の施工が同時にでき、施工も容易となるものである。
【発明を実施するための最良の形態】
【００１１】
以下、本発明を添付図面に示す実施形態に基いて説明する。
【００１２】
間柱３付き壁パネル２は図１、図２に示すようなもので、この間柱３付き壁パネル２は木質のパネル枠１２の表裏両面に面板１３を取着して主体を構成してあり、この壁パネル２の横巾方向の一箇所又は複数箇所に建物の垂直荷重を負担するための間柱３を上下に貫通して設けてあって、該間柱３はパネル枠１２に固着してある。間柱３は金属製であって、該間柱３の上端面部の壁パネル２よりも上方に突出した部分には軸組み構造の建物の梁４に固定するための上固定用プレート５が設けてあり、該間柱３の下端面部の壁パネル２よりも下方に突出した部分には軸組み構造の建物の基礎７又は下階の梁４に固定するための下固定用プレート６が設けてある。間柱３の下端部には下固定用プレート６の上において操作用開口１４が設けてある。上固定用プレート５にはナット部１５が設けてあり、下固定用プレート６にはボルト挿入孔１６が設けてある。
【００１３】
壁パネル２の下端面（つまり木質のパネル枠１２の下横枠の下面）には断面逆Ｖ字状をした嵌め込み溝１０が形成してある。また、壁パネル２の上端面には下階の梁４に連結するための連結金具１１が設けてある。壁パネル２の上端面の連結金具１１を設ける位置は壁パネル２の横巾方向において上記間柱３の上端部を突出する位置と離れた位置に設けてある。
【００１４】
連結金具１１は、壁パネル２を傾けた状態で下端部を回動支点として起立させることで、起立状態の壁パネル２が倒れないように梁４の下端面に仮保持するための仮保持機能と、仮保持状態で梁４に本固定するための本固定機能とを備えたもので、例えば図９に示すようなものである。
【００１５】
図９において、連結金具１１は固定金具１７、可動金具１８、ボルト１９、ナット２０とで構成してある。
【００１６】
固定金具１７は下横片２１の一端部から上方に縦片２２を一体に立設し、縦片２２の上端から下横片２１と反対側に向けて上横片２３を一体に突出し、上横片２３の突出先端から上方に挟持用突片２４を一体に突出して構成してある。下横片２１には固定金具１７を壁パネル２の上端面に固定するためのビスのような固着具を挿入するための孔２５が設けてある。縦片２２の中央部にはボルト通し孔２６が設けてあり、ボルト通し孔２６の両側方には弾性片係止孔２７が設けてあり、更に弾性片係止孔２７の外側には吊具挿入孔２８が設けてある。上横片２３の突出先端部の中央には切欠き部２９が設けてあってこの切欠き部２９の両側に引っ掛け部３０が設けてある。
【００１７】
可動金具１８は中央片３１の一端から中央片３１に対して直角に脚片３２を一体に突出し、中央片３１の他端から脚片３２と反対方向に直角に挟持片３３を一体に突出してある。中央片３１の挟持片３３を設けた部分と反対側の端部にはばね板３４の一端部が固定してある。ばね板３４の先端部には挟持片３３と平行に当たり片３５が突設してあり、ばね板３４の先端部の当たり片３５の突出基部の両側に弾性を有するＬ状をした係止片４６が設けてあり、更に、ばね板３４の中央片３１からの突出基部の両側から先端に行くほどばね板３４から離れるように傾斜した弾性片３６が設けてある。脚片３２には孔３７が設けてある。
【００１８】
この可動金具１８を図９に示すように、弾性片３６の先端部を縦片２２の弾性片係止孔２７に挿入して弾性的に係止し、Ｌ状をした係止片４６の先端を上横片２３に弾接し、この状態で縦片２２に設けたボルト通し孔２６から挿入したボルト１９を脚片３２の孔３７に挿通してボルト１９先端部にナット２０を仮締付けしてある。この場合、ボルト１９の締め付けは、可動金具１８を図９、図４に示すように固定金具１７に対して傾斜した姿勢とした状態で、弾性片３６、弾性を有する係止片４６によるばね力と、ボルト１９とナット２０との仮締力とでバランスをとって該傾斜姿勢を保持出きる程度に締付けるものであり、ボルト１９の軸の突出基部に設けたワッシャ３８の端部が縦片２２と上横片２３とのなすコーナ部分に当たり（この際、ボルト１９の頭部が切欠き部２９に位置する）、ナット２０が脚片３２に当たって弾性片３６、弾性を有する係止片４６によるばね力を支持している。
【００１９】
上記の構成の連結金具１１は、壁パネル２の上端面に下横片２１を載置してビスのような固着具を孔２５から挿入して壁パネル２に固着するものである。
【００２０】
本発明の間柱３付き壁パネル２は上記のような構成のものであるが、施工に当たっては次のようにして施工するものである。
【００２１】
すなわち、基礎７上に柱１を立設し、柱１間に梁４を架設して建物の軸組みを構成する。次に、該軸組みにおいて柱１間に図３に示すように間柱を設け無い１乃至複数の壁パネル２’を建て込むのであるが、この場合、上記軸組みにおいて間柱３が必要な箇所において間柱の無い壁パネル２’に代えて本発明の間柱付き壁パネル２を柱１間に組込むのである。
【００２２】
ここで、間柱付き壁パネル２を組込む位置において間柱付き壁パネル２の下端を支持するための基礎７の上面にはあらかあじめアンカーボルト４０を突設すると共にＬ状をした下支持金具８を固定しておく。そして、間柱付き壁パネル２をクレーンで吊下げて、図４に示すように間柱付き壁パネル２を斜めにした状態で下端面の断面逆Ｖ字状をした嵌め込み溝１０を下支持金具８の縦片９に嵌め込み支持させる（壁パネル２が下階に建て込まれるときは、同時に間柱２の下端部の下固定用プレート６に設けたボルト挿入孔１６をアンカーボルト４０に遊嵌する）。次に、嵌め込み溝１０の縦片９への嵌め込み部分を回動支点として間柱３付き壁パネル２を回動して垂直に起立させる。このように嵌め込み溝１０の縦片９への嵌め込み部分を回動支点として間柱３付き壁パネル２を回動すると、図５に示すようにＨ鋼よりなる梁４（壁パネル２を下階に建て込む場合には下階の梁４、壁パネル２を上階に建て込む場合には上階の梁４）の下フランジ４ａの一側縁の下方を傾斜した可動金具１８の一端部にある挟持片３３が通過して該下フランジ４ａの他側縁をやや超えた位置まで至ると可動金具１８に設けたばね板３４の当たり片３５が該下フランジ４ａの一側縁に当たる。そこで更に間柱３付き壁パネル２を回動すると、弾性片３６、弾性を有する係止片４６のばね力に抗して固定金具１７に対して可動金具１８が移動する。この場合、上横片２３に弾接しているＬ状をした係止片４６の先端が上横片２３上を摺りながら引っ掛け部３０側に向けて移動し、引っ掛け部３０に至った時点で図６に示すように弾性力により引っ掛け部３０に弾入する。これによりばね板３４が上横片２３に当って水平姿勢となり、同時に可動金具１８の中央片３１が水平となり、挟持片３３が垂直に起立して梁４の下フランジ４ａの他側縁のやや外側方でその先端が下フランジ４ａよりも上方に突出する。したがって、この状態では梁４の下フランジ４ａの両側縁の外側に当たり片３５と挟持片３３とが位置するため、該当たり片３５と挟持片３３とで仮保持して起立状態の壁パネル２が倒れるのを防止するようになっている。この場合、挟持用突片２４が当たり片３５よりも外側方において梁４の下フランジ４ａの一端縁と対向している。
【００２３】
この状態で、ボルト１９を弾性片３６のばね力に抗して締付けることで挟持片３３と挟持用突片２４とが互いに近づくように可動金具１８を固定金具１７に対して移動して図７に示すように挟持片３３と挟持用突片２４とで梁４の下フランジ４ａの両端縁を挟持して本固定する。
【００２４】
このように、間柱３付き壁パネル２を柱１間の正しい位置に正確に起立させ、次に、間柱３の下端部の下固定用プレート６と基礎７又は下階の梁４とをスペーサ４１を介してボルト部材により固着する。この場合、壁パネル２を下階に建て込む場合には平面Ｕ字状をしたスペーサ４１を基礎７の上面と壁パネル２との間においてアンカーボルト４０に嵌め込み、間柱３の下端部には設けた操作用開口１４から手を入れてアンカーボルト４０の上部にナット４２を螺着することで、壁パネル２に一体に設けた間柱３の下端部を基礎７に固着する。また、壁パネル２が上階に配設される場合には壁パネル２の下面と下階の梁４の上フランジ４ｂとの間にスペーサ４１を介在させた状態で、下階の梁４の上フランジ４ｂに設けた孔からボルトを挿入してスペーサ４１に設けた孔、下固定用プレート６に設けたボルト挿入孔１６に挿通し、操作用開口１４から手を入れて上記ボルトの先端部にナット４２を螺着することで、壁パネル２に一体に設けた間柱３の下端部を下階の梁４に固着する。
【００２５】
また、梁４（ここで、壁パネル２が下階に配設される場合には下階の梁４、上階に配設される場合には上階の梁４）の下フランジ４ａに設けた孔からボルト４３を挿入して間柱３の上端部の上固定用プレート５のナット部１５に螺着することで、壁パネル２に一体に設けた間柱３の上端部を梁４に固着する（壁パネル２が下階に配設される場合には下階の梁４に固着し、上階に配設される場合には上階の梁４に固着する）。ここで、壁パネル２の上端面と梁４の下フランジ４ａとの間にはスペーサ４４を介在させる。
【００２６】
このようにして軸組み構造の建物の柱１間に壁パネル２を建て込んで組込むことで、図８に示すように壁パネル２に上下に貫通して一体に設けた間柱３の下固定用プレート６、上固定用プレート５をそれぞれ基礎７又は梁４に固着して、該壁パネル２に一体に設けた間柱３により梁４からかかる建物の垂直荷重を支持することができるものである。これにより、本発明の間柱３付き壁パネル２を軸組み構造の建物の柱一間に組込むことで、壁の施工と垂直荷重を負担する間柱３の施工が同時にできることになる。
【００２７】
なお、間柱の無い壁パネル２’の建て込みに当たっては、基礎７又は梁４の上面に設けた上記した下支持金具８と同じ断面形状の下支持金具８’を取付け、この下支持金具８’に間柱の無い壁パネル２’の下面部に形成した逆Ｖ字状の嵌め込み溝を嵌め込んで回動して起立させ、間柱の無い壁パネル２’の上端面部に設けた上記連結金具１１と同じ連結金具１１’を上記と同様にして梁４に取付けることで図３に示すように取付けるものであり、間柱３付きの壁パネル２と間柱の無い壁パネル２’の回動による取付けは同じ方法により行うことができて、施工を簡略化している。
【図面の簡単な説明】
【００２８】
【図１】本発明の間柱付き壁パネルの斜視図である。
【図２】同上の断面図である。
【図３】同上の施工状態を示す概略正面図である。
【図４】同上の間柱付き壁パネルの施工順序を示す説明図である。
【図５】同上の間柱付き壁パネルの施工順序を示す説明図である。
【図６】同上の間柱付き壁パネルの施工順序を示す説明図である。
【図７】同上の間柱付き壁パネルの施工順序を示す説明図である。
【図８】同上のスペーサを介在して本固定した状態の正面図である。
【図９】同上に用いる連結金具の斜視図である。
【符号の説明】
【００２９】
１  柱
２  壁パネル
３  間柱
４  梁
５  上固定用プレート
６  下固定用プレート
７  基礎
８  下支持金具
９  縦片
１０  嵌め込み溝
１１  連結金具
【図１】
2005105672.tif 000003
【図２】
2005105672.tif 000004
【図３】
2005105672.tif 000005
【図４】
2005105672.tif 000006
【図５】
2005105672.tif 000007
【図６】
2005105672.tif 000008
【図７】
2005105672.tif 000009
【図８】
2005105672.tif 000010
【図９】
2005105672.tif 000011